(57)【要約】【課題】取付部材の形状や取付位置もデザインを構成する一部として取り込み、これを壁パネルの柄と関連付けて、インクジェット印刷によって印刷することで、取付部材の取付箇所を明示可能とするとともに、浴室内の取付部材を含めて壁パネルないし浴室空間の見栄えが良くなるようにする。【解決手段】鏡２、照明３、収納４およびシャワーフック５などの取付部材が取り付けられる壁パネル１０に、色柄を備えた印刷層１１が設けられており、取付部材の周囲に取付部材の形状に合わせて、濃色の印刷層１２、または取付部材の周縁に沿って縁取り部１３が設けられ、また、壁パネル１０は、取付部材を取り付けたときに取付部材によって覆い隠される隠蔽部を備え、隠蔽部は印刷層を備えていない。【選択図】図１
2020070543.tif 000002
【特許請求の範囲】
【請求項１】
取付部材が取り付けられ、色柄を表す印刷層を備えた壁パネルにおいて、前記印刷層は前記取付部材の周囲に前記取付部材に関連する色柄を表すことを特徴とする壁パネル。
【請求項２】
請求項１に記載の壁パネルにおいて、前記印刷層は前記取付部材の周縁に沿って設けられる縁取り部を備えていることを特徴とする壁パネル。
【請求項３】
請求項１または２に記載の壁パネルにおいて、壁パネルは前記取付部材を取り付けたときに前記取付部材によって覆い隠される隠蔽部を備え、前記隠蔽部は前記印刷層を備えないことを特徴とする壁パネル。
【請求項４】
請求項１から３のいずれかに記載の壁パネルにおいて、前記取付部材は、鏡、照明、収納およびシャワーフックのいずれか、またはそれらの組み合わせであることを特徴とする壁パネル。
【請求項５】
請求項１から４のいずれかに記載の壁パネルにおいて、前記印刷層はインクジェット印刷によって設けられることを特徴とする壁パネル。
【発明の詳細な説明】
【技術分野】
【０００１】
本発明は、壁パネルに関し、例えば、浴室の壁パネルに関するものである。
【背景技術】
【０００２】
浴室内の、例えば出入口から見て正面の壁パネルに、鏡、照明、シャワー部材、収納ラックなど（以下、取付部材とも言う）が、適宜選択され、取り付けられることが一般的である。
【０００３】
従来、壁パネルについて、取付部材を取り付ける場所を明示するために、例えば、取付部材が当接して覆い隠される隠蔽部の周縁に沿って、一定の幅で印刷されない周縁部が残るように、色柄が印刷加工されている構成などが知られている（特許文献１参照）。
【０００４】
また、機器を取り付けるために貫通孔を設けた化粧パネルにおいて、貫通孔に対する浸水防止の目的で、化粧パネルを作成する過程において、パネルに形成した貫通孔の周囲に余白（印刷されていない層）を残して印刷し、その余白に接着剤を塗布することで、貫通孔の開口内縁もシール層が形成されるようにした点が知られている（特許文献２参照）。
【先行技術文献】
【特許文献】
【０００５】
【特許文献１】特許第６３６２３７４号公報
【特許文献２】特許第４００９５５９号公報
【発明の概要】
【発明が解決しようとする課題】
【０００６】
上記のとおり、壁パネルにおける図柄の印刷において、取付部材の位置を指示するための印刷は知られているところであるが、あくまでも、壁パネルの見栄えを考慮することなく、取付作業の向上のために、取付部材を取り付ける箇所を明示するものにすぎない。
【０００７】
しかしながら、近年、ユニットバスの壁パネルに取り付ける取付部材は、種類や形状が多種多様となっている。このような状況では、取付部材を取り付ける箇所を明示するためのみ取付位置を印刷するのでは、壁パネルの柄との調和がとれず、浴室の壁ないし浴室空間全体の見栄えも悪くなる。
【０００８】
本発明は、上記従来の問題を解決することを目的とし、取付部材の形状や取付位置もデザインを構成する一部として取り込み、これを壁パネルの柄の配置と関連付けて、インクジェット印刷によって印刷することで、浴室内の取付部材を含めて浴室の壁ないし浴室空間全体の見栄えが良くなるようにすることを課題とする。
【課題を解決するための手段】
【０００９】
本発明は、上記課題を解決するために、取付部材が取り付けられ、色柄を表す印刷層を備えた壁パネルにおいて、前記印刷層は前記取付部材の周囲に前記取付部材に関連する色柄を表すことを特徴とする壁パネルを提供する。
【００１０】
前記印刷層は前記取付部材の周縁に沿って設けられる縁取り部を備えていることが好ましい。
【００１１】
壁パネルは前記取付部材を取り付けたときに前記取付部材によって覆い隠される隠蔽部を備え、前記隠蔽部は前記印刷層を備えないことが好ましい。
【００１２】
前記取付部材は、鏡、照明、収納およびシャワーフックのいずれか、またはそれらの組み合わせであることが好ましい。
【００１３】
前記印刷層はインクジェット印刷によって設けられることが好ましい。
【発明の効果】
【００１４】
本発明によると、取付部材が取り付けられ、色柄を表す印刷層を備えた壁パネルにおいて、前記印刷層は前記取付部材の周囲に前記取付部材に関連する色柄を表す構成としたので、取付部材の取付箇所を明示し取り付け作業がし易くなり、壁パネルないし浴室空間の見栄えを向上させることができる。
【図面の簡単な説明】
【００１５】
【図１】本発明の実施例の全体構成を説明する図であり、浴室内の構成、特に浴室の正面の壁を示す図である。
【図２】本発明の実施例において、取付部材に合わせて設けたいろいろな態様の印刷層を説明する図であり、（ａ）は鏡を取り付ける箇所に縁取り部を設けた壁パネルを示し、（ｂ）は（ａ）の壁パネルの縁取り部の内側に鏡を取り付けた状態を示す図であり、（ｃ）は上下２段に設ける棚の形状に合わせてその周囲に設ける印刷層を示す図である。
【図３】本発明の実施例において、取付部材に合わせて設けたいろいろな態様の印刷層を説明する図であり、（ａ）は照明とその形状に合わせてその周囲に設けた印刷層を示す図であり、（ｂ）照明とその周囲に設けた照明に合わせた図柄の印刷層を示す図である。
【図４】本発明の実施例において、取付部材に合わせて設けたいろいろな態様の印刷層を説明する図であり、鏡とともに浴室のデザインを形成するように鏡と調和して設けた印刷層を示し、（ａ）は浴槽の周囲の壁パネルを示し、（ｂ）は洗い場周囲の壁パネルを示す。
【発明を実施するための形態】
【００１６】
本発明に係る壁パネルを実施するための形態を実施例に基づき図面を参照して、以下説明する。
【実施例】
【００１７】
図１は、本発明に係る壁パネルの実施例を示す図である。この実施例では、浴室の正面壁１には、鏡２、照明３、上下２段の収納（収納棚等）４、シャワーフック５などの取付部材が取り付けられている。
【００１８】
図１に示す実施例では、上記取付部材が全て取り付けられているが、それらのいずれか、またはそれらの組み合わせたものを取り付けてもよい。また、それら以外の取付部材（例えば、浴室用の時計、テレビ、呼び出しブザー等）でもよい。
【００１９】
浴室壁９を構成する壁パネル１０には、例えば、色柄または淡色の地となる印刷層（図２参照）１１が設けられており、さらに、正面壁１を形成する壁パネル１０には、取付部材（ここでは、鏡２、照明３、収納（収納棚など）４、シャワーフック５）の周囲に取付部材のそれぞれの形状に合わせて、例えば濃色の印刷層１２が、取付部材と室内空間全体のデザインとして調和するように設けられている。
【００２０】
ところで、従来、浴室の壁パネルの印刷は、グラビア印刷方式によって、壁パネルに貼るシートを輪転式のロール版で印刷することが主流であった。ほぼ均一化した模様であって決められた図柄を大量に印刷するためには、グラビア印刷方式は適している。
【００２１】
しかしながら、前記したとおり、近年、浴室の壁パネルに取り付ける取付部材は、種類や形状が多種多用となっており、その結果、壁パネルは、取付位置を示す図柄も含めいろいろなデザインの図柄から適宜選択して印刷する必要があるが、そのような印刷にはグラビア印刷方式は適していない。
【００２２】
このように、いろいろなデザインの図柄に対応した印刷をするには、インクジェット印刷が適しており、種類や形状が多種多様な取付部材を取り付ける浴室の壁パネルの印刷に対応可能である。従って、本発明では、壁パネル１枚ごとに直接印刷するインクジェット印刷によって、壁パネル１０に、地となる印刷層１１及び取付部材の周囲の濃色の印刷層１２などを印刷する。
【００２３】
取付部材の周囲の濃色の印刷層１２は、取付部材の取付作業に際して、取付位置を明示するとともに、取付部材の形状および配置等と調和させることで、壁パネル１０または浴室壁９全体のデザインを形成する構成要素として機能する。その結果、浴室空間の見栄えを向上させることができる。
【００２４】
このような取付部材の周囲の濃色の印刷層１２は、具体的には、取付部材の周縁に沿って縁取り部として設けられる構成としてもよい。例えば、図２（ａ）、（ｂ）は、それぞれ壁パネル１０に、取付部材である鏡２を取付する前、取付た後の状態を示しているが、この壁パネル１０では、矩形の鏡２の周縁に沿って、矩形で濃色の縁取り部１３が設けられている。
【００２５】
縁取り部１３は、取付作業の際に、作業者に対して鏡２の取付位置を明示するだけでなく、図２（ｂ）に示すように、鏡２を取り付けると、あたかも、鏡２の枠を表現するなど、装飾的に機能も有する。
【００２６】
縁取り部１３の内側、即ち、図２（ｂ）に示すように取付部材である鏡２を取り付けたときに、鏡２によって覆い隠される隠蔽部１４は、図２（ａ）に示すように、印刷層を備えない構成としてもよい。あるいは、図示はしないが、壁パネル１０の地の印刷層１１（図２参照）と同じ柄の印刷層であってもよい。
【００２７】
また、壁パネル１０における取付部材の周囲の濃色の印刷層１２は、縁取り部１３ではなく、矩形、円形、楕円形、菱形などの他の形状であってもよい。この場合も、その印刷層の領域内に、取付部材を取り付けたときに、その取付部材によって覆い隠される隠蔽部を備え、隠蔽部は印刷層を備えない構成としてもよいし、あるいは地となる柄の印刷層１１を備えた構成としてもよい。
【００２８】
例えば、図１に示す上下二段設けられた収納棚４については、図２（ｃ）に示すように、周囲に矩形の濃色の印刷層１７が形成されており、上下の収納棚４が取り付けられる部分は、収納棚４で覆い隠される横方向に長細い長方形の遮蔽部１８となるが、この遮蔽部１８については、図２（ｃ）に示すように、印刷層を備えていない。
【００２９】
同様に、図１において、鏡２の上方には正面視で円形の照明３が取り付けられているが、このような照明３の周囲に、図３（ａ）に示すように、矩形の濃色の印刷層１９が設けられている構成としてもよい。
【００３０】
この矩形の濃色の印刷層１９の中心部に円形の照明３が取り付けられるが、この円形の照明３を取り付けると、照明３によって覆い隠される円形の遮蔽部（図示せず）については、図２（ｃ）に示す構成と同様に、印刷層を備えていない。
【００３１】
図３（ａ）に示す照明３の周囲は、矩形の図柄で濃色の印刷層１９が形成されているが、取付具の周囲に形成される図柄は、その取付具に調和していろいろな図柄の印刷層を設けてもよい。
【００３２】
例えば、図３（ｂ）に示すように、平面視で円形の照明３が取り付けられる壁パネル１０において、照明３があたかもシャンデリアであることを表現するかのように、照明３の周囲にローソク、ローソク支持杆、十字架および装飾鎖などの図柄を備えた印刷層２０を設けてもよい。
【００３３】
図４（ａ）は、浴槽２４に面する壁パネル１０に横長の鏡２５が取り付けられている構成を示す。壁パネル１０には地となる印刷層１１が設けられているが、鏡２５に隣接して、鏡２５の高さ、縦幅が同じ濃色の印刷層２６を設けた構成としてもよい。
【００３４】
このような構成にすると、取付部材である横長の鏡２５と、鏡２５に隣接する濃色の印刷層２６がデザイン的に調和して、浴室空間の見栄えを向上させることができる。なお、図４（ａ）に示す構成の場合は、横長の鏡２５の全周囲ではないが、鏡２５の周囲であってその一部に印刷層２６を設けた構成である。
【００３５】
図４（ｂ）は、図４（ａ）と同様の構成であり、壁パネル１０には地となる印刷層１１が設けられているが、洗い場２７側において、横長の鏡２５が取り付けられた壁パネル１０に隣接する別の壁パネル１０に、横長の鏡２５に対応した横長の濃色の印刷層２６を印刷した構成である。
【００３６】
以上、本発明に係る壁パネルを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３７】
本発明に係る壁パネルは上記のような構成であるから、バスユニット等の浴室用の壁だけでなく、居住室の壁等も適用可能である。
【符号の説明】
【００３８】
１  正面壁                         
２  鏡                             
３  照明                           
４  収納（例えば収納棚等）         
５  シャワーフック
９  浴室壁                 
１０  壁パネル                     
１１  地となる印刷層                       
１２  取付部材周辺の濃色の印刷層
１３  取付部材の縁取り部               
１４  隠蔽部                       
１７  収納棚の周囲の印刷層         
１８  収納棚による遮蔽部           
１９  照明の周囲の印刷層           
２０  照明の周囲のシャンデリア表示用の印刷層
２４  浴槽       
２５  横長の鏡                     
２６  鏡に隣接する印刷層 
２７  洗い場          
【図１】
2020070543.tif 000003
【図２】
2020070543.tif 000004
【図３】
2020070543.tif 000005
【図４】
2020070543.tif 000006